(57)【要約】【課題】キーを容易に追跡可能な通信システムを提供する。【解決手段】携帯電話５０と、携帯電話５０との間で、相互にＩＤを通知し、認証処理を行うキー６０と、無線通信を行う１つ以上の無線通信機７０と、無線通信機ＩＤ、無線通信機７０の設置場所に関する設置場所情報、携帯ＩＤとキーＩＤとを含む端末情報を含む管理情報を管理する管理サーバ２０と、を有し、キー６０は、端末情報を無線通信機７０へ定期的に送信し、無線通信機７０は、キー６０からの端末情報を受信後に、管理情報を管理サーバ２０へ送信し、管理サーバ２０は、無線通信機７０からの管理情報を記録する。【選択図】図４
2008227688.tif 000002
【特許請求の範囲】
【請求項１】
無線通信を行う無線通信機であって、
無線通信を行う外部の通信端末を識別するための端末識別情報および前記通信端末が備える機能を使用するか否かの判断を行うために用いる認証処理を前記通信端末間で行うキーを識別するためのキー識別情報を含む端末情報を受信する受信部と、
前記受信部によって受信された端末情報と当該無線通信機を識別するための機器識別情報と前記無線通信機の設置場所に関する設置場所情報とを含む管理情報を、前記管理情報を管理する外部の管理サーバへ送信する送信部と
を有する無線通信機。
【請求項２】
外部の通信端末が備える機能を使用するか否かの判断を行うために用いる認証処理を前記通信端末との間で行うキーであって、
前記通信端末との間で、相互に識別情報を通知し、前記認証処理を行う認証処理部と、
前記通信端末を識別するための端末識別情報と当該キーを識別するためのキー識別情報とを含む端末情報を無線通信機へ送信する端末情報送信部と
を有するキー。
【請求項３】
請求項２に記載のキーであって、
前記端末情報送信部は、前記認証処理部による認証処理が中断された場合に前記端末情報を前記無線通信機へ送信するキー。
【請求項４】
無線通信を行う通信端末と、
前記通信端末との間で、相互に識別情報を通知し、前記通信端末が備える機能を使用するか否かの判断を行うために用いる認証処理を行うキーと、
無線通信を行う１つ以上の無線通信機と、
前記無線通信機を識別するための機器識別情報と、前記無線通信機の設置場所に関する設置場所情報と、前記通信端末を識別するための端末識別情報と前記キーを識別するためのキー識別情報とを含む端末情報と、を備える管理情報を管理する管理サーバと、
を有し、
前記キーは、前記端末情報を前記無線通信機へ送信し、
前記無線通信機は、前記キーからの端末情報を受信後に、前記管理情報を前記管理サーバへ送信し、
前記管理サーバは、前記無線通信機からの管理情報を記録する通信システム。
【請求項５】
請求項４に記載の通信システムであって、
前記キーは、前記認証処理が中断された場合に前記端末情報を前記無線通信機へ送信する通信システム。
【請求項６】
請求項４または５に記載の通信システムであって、
複数の前記無線通信機が前記端末情報を受信した場合、前記キーへ最初に前記端末情報の受信応答を行った無線通信機が、前記管理情報を前記管理サーバへ送信する通信システム。
【請求項７】
請求項４ないし６のいずれか１項に記載の通信システムであって、
前記管理サーバは、通信を行う他の情報端末から前記端末情報を含む前記キーを捜索するためのキー捜索要求を受信した場合、前記他の情報端末へ前記端末情報に対応する前記設置場所情報を含むキー捜索要求応答を送信する通信システム。
【請求項８】
無線通信を行う通信端末との間で相互に識別情報を通知し前記通信端末が備える機能を使用するか否かの判断を行うために用いる認証処理を行うキーから、前記通信端末を識別するための端末識別情報と前記キーを識別するためのキー識別情報とを含む端末情報を無線通信を行う無線通信機へ送信するステップと、
前記無線通信機における前記キーからの端末情報の受信後に、前記無線通信機を識別するための機器識別情報、前記無線通信機の設置場所に関する設置場所情報、および前記端末情報を含む管理情報を、前記無線通信機から前記管理情報を管理する管理サーバへ送信するステップと、
前記管理サーバにおいて前記無線通信機からの管理情報を記録するステップと
を有するキー情報管理方法。
【請求項９】
請求項８に記載のキー情報管理方法であって、更に、
通信を行う他の情報端末から前記管理サーバへ前記端末情報を含む前記キーを捜索するためのキー捜索要求を送信するステップと、
前記管理サーバから前記情報端末へ前記端末情報に対応する前記設置場所情報を含むキー捜索要求応答を送信するステップと
を有するキー情報管理方法。
【発明の詳細な説明】
【技術分野】
【０００１】
本発明は、無線通信機、キー、通信システム、およびキー情報管理方法に関する。
【背景技術】
【０００２】
近年、携帯電話などの電子機器が通信を行う際に、安全性を向上させるためにキー（鍵端末）を利用した通信が行われている。電子機器とこの電子機器に付随するキーとの間の距離が一定以上離れるなど、両者の間で通信を行うための認証処理が実施できなくなると、電子機器を使用する場合に使用可能な機能が制限される。
【０００３】
電子機器の一例である移動通信端末として、鍵端末に対して定期的にＩＤ情報の送信要求を送信し、当該送信要求に応じて鍵端末から送信されるＩＤ情報を受信する短距離無線通信部と、短距離無線通信部によってＩＤ情報が受信されなくなったときに自己の機能を制限する端末機能制限部と、短距離無線通信部によってＩＤ情報が受信されなくなったときにＧＰＳシステムを用いて自己の位置情報を取得するＧＰＳ測位部と、短距離無線通信部によってＩＤ情報が受信されなくなったときにＧＰＳ測位部によって取得された自己の位置情報を位置登録装置に対して送信するデータ通信部とを備えて構成された移動通信端末が知られている（例えば、特許文献１参照）。
【０００４】
したがって、例えば電子機器の一例である携帯電話を紛失した場合には、携帯電話の備えるＧＰＳ機能により、携帯電話の所在を確認することができる。
【特許文献１】特開２００５−３３３６２６号公報
【発明の開示】
【発明が解決しようとする課題】
【０００５】
ところで、ＧＰＳ機能を有する携帯電話を紛失した際には上記の方法により容易に探し出すことが可能である。しかし、キーを紛失した場合には、携帯電話を使用することができないばかりか、キーを探し出すことも容易ではない。ここで、解決策としてキーに対してＧＰＳ機能が使用可能となるように構成することが考えられる。しかし、キーの保持者の利便性を考慮すると、低コスト（少しでも安く買いたい）、小型化（携帯時に邪魔になって欲しくない）、省電力性の高さ（頻繁に電池を交換したくない）が望ましく、キーにＧＰＳ機能を搭載することは現実的に考えにくい。
【０００６】
本発明は、上記事情を鑑みてなされたものであって、キーを容易に追跡可能な無線通信機、キー、通信システム、およびキー情報管理方法を提供することを目的とする。
【課題を解決するための手段】
【０００７】
上記目的を達成するために、本発明の第１の無線通信機は、無線通信を行う無線通信機であって、無線通信を行う外部の通信端末を識別するための端末識別情報および前記通信端末が備える機能を使用するか否かの判断を行うために用いる認証処理を前記通信端末間で行うキーを識別するためのキー識別情報を含む端末情報を受信する受信部と、前記受信部によって受信された端末情報と当該無線通信機を識別するための機器識別情報と前記無線通信機の設置場所に関する設置場所情報とを含む管理情報を、前記管理情報を管理する外部の管理サーバへ送信する送信部とを有する構成としている。
【０００８】
この構成により、キーに関する情報が管理サーバへ記録されるため、キーを容易に追跡可能である。
【０００９】
また、本発明の第１のキーは、外部の通信端末が備える機能を使用するか否かの判断を行うために用いる認証処理を前記通信端末との間で行うキーであって、前記通信端末との間で、相互に識別情報を通知し、前記認証処理を行う認証処理部と、前記通信端末を識別するための端末識別情報と当該キーを識別するためのキー識別情報とを含む端末情報を外部の１つ以上の無線通信機へ送信する端末情報送信部とを有する構成としている。
【００１０】
この構成により、外部の無線通信機を介して管理サーバへキーに関する情報を記録することが可能であり、キーを容易に追跡可能である。
【００１１】
また、本発明の第２のキーは、前記端末情報送信部が、前記認証処理部による認証処理が中断された場合に前記端末情報を前記無線通信機へ送信する構成としている。
【００１２】
この構成により、例えばキーを紛失した場合など通信端末との間で認証処理を行うことができない場合であっても、キーを容易に追跡可能である。
【００１３】
また、本発明の第１の通信システムは、無線通信を行う通信端末と、前記通信端末との間で、相互に識別情報を通知し、前記通信端末が備える機能を使用するか否かの判断を行うために用いる認証処理を行うキーと、無線通信を行う１つ以上の無線通信機と、前記無線通信機を識別するための機器識別情報と、前記無線通信機の設置場所に関する設置場所情報と、前記通信端末を識別するための端末識別情報と前記キーを識別するためのキー識別情報とを含む端末情報と、を備える管理情報を管理する管理サーバと、を有し、前記キーは、前記端末情報を前記無線通信機へ送信し、前記無線通信機は、前記キーからの端末情報を受信後に、前記管理情報を前記管理サーバへ送信し、前記管理サーバは、前記無線通信機からの管理情報を記録する構成としている。
【００１４】
この構成により、キーを容易に追跡可能である。
【００１５】
また、本発明の第２の通信システムは、前記キーが、前記認証処理が中断された場合に前記端末情報を前記無線通信機へ送信する構成としている。
【００１６】
この構成により、例えばキーを紛失した場合など通信端末との間で認証処理を行うことができない場合であっても、キーを容易に追跡可能である。
【００１７】
また、本発明の第３の通信システムは、複数の前記無線通信機が前記端末情報を受信した場合、前記キーへ最初に前記端末情報の受信応答を行った無線通信機が、前記管理情報を前記管理サーバへ送信する構成としている。
【００１８】
この構成により、複数の無線通信機のうちの１つが代表して管理サーバへの管理情報の送信を行うことにより、通信トラフィックおよび処理負荷の軽減が可能である。
【００１９】
また、本発明の第４の通信システムは、前記管理サーバが、通信を行う他の情報端末から前記端末情報を含む前記キーを捜索するためのキー捜索要求を受信した場合、前記他の情報端末へ前記端末情報に対応する前記設置場所情報を含むキー捜索要求応答を送信する構成としている。
【００２０】
この構成により、ＰＣなどの情報端末がＷｅｂサイトなどを介して管理サーバにアクセスすることで、キーの位置情報を取得することが可能である。
【００２１】
また、本発明の第１のキー情報管理方法は、無線通信を行う通信端末との間で相互に識別情報を通知し前記通信端末が備える機能を使用するか否かの判断を行うために用いる認証処理を行うキーから、前記通信端末を識別するための端末識別情報と前記キーを識別するためのキー識別情報とを含む端末情報を無線通信を行う無線通信機へ送信するステップと、前記無線通信機における前記キーからの端末情報の受信後に、前記無線通信機を識別するための機器識別情報、前記無線通信機の設置場所に関する設置場所情報、および前記端末情報を含む管理情報を、前記無線通信機から前記管理情報を管理する管理サーバへ送信するステップと、前記管理サーバにおいて前記無線通信機からの管理情報を記録するステップとを有する方法としている。
【００２２】
この方法により、キーを容易に追跡可能である。
【００２３】
また、本発明の第２のキー情報管理方法は、通信を行う他の情報端末から前記管理サーバへ前記端末情報を含む前記キーを捜索するためのキー捜索要求を送信するステップと、前記管理サーバから前記情報端末へ前記端末情報に対応する前記設置場所情報を含むキー捜索要求応答を送信するステップとを有する方法としている。
【００２４】
この方法により、ＰＣなどの情報端末がＷｅｂサイトなどを介して管理サーバにアクセスすることで、キーの位置情報を取得することが可能である。
【発明の効果】
【００２５】
本発明は、キーを容易に追跡することが可能である。
【発明を実施するための最良の形態】
【００２６】
以下、本発明の実施形態の無線通信機について、図面を用いて説明する。
【００２７】
図１は本発明の実施形態における通信システム１００の構成の一例を示す図である。
通信システム１００は、管理サーバ１０、管理サーバ２０、中継機３０、中継機４０、携帯電話５０、キー６０、および無線通信機７０を有する。
【００２８】
管理サーバ１０は、例えば携帯電話会社が所有するサーバであり、携帯電話情報１０ａを記憶している。図２は携帯電話情報１０ａの一例を示した図である。携帯電話情報１０ａには、携帯電話５０を識別するための携帯ＩＤ、携帯電話５０との間で認証処理が行われた、もしくは認証処理が行われる予定のキー６０を識別するためのキーＩＤが含まれる。また、携帯電話情報１０ａには、携帯電話５０の携帯電話番号、携帯電話５０の機種を示す機種情報、携帯電話５０が製造される際に付される製造番号、その他の情報を含むことも可能である。尚、携帯電話番号を携帯ＩＤとすることも可能である。
【００２９】
管理サーバ２０は、例えばガス会社が所有するサーバであり、機器情報２０ａを記憶している。図３は機器情報２０ａの一例を示した図である。機器情報２０ａには、無線通信機７０を識別するための無線通信機ＩＤ、無線通信機７０が設置された場所に関する設置場所情報、キー６０を識別するためのキーＩＤ、携帯電話５０を識別するための携帯ＩＤが含まれる。また、機器情報２０ａには、キー６０と無線通信機７０との間で通信中であるか否かを示すキー通信情報、携帯電話５０の機種を示す機種情報、キー６０と無線通信機７０との間の通信が開始された時間を示す通信開始時間、キー６０と無線通信機７０との間の通信が途切れるなど、通信が終了された時間を示す通信終了時間、その他の情報を含むことも可能である。尚、管理サーバ１０および２０に機種情報が記録されることで、ＳＩＭカードを利用したなりすまし等を防止することが可能である。この携帯電話の機種情報は、管理サーバ１０および２０で予め登録しておくことも可能であるが、後述するステップＳ４０３において携帯電話５０が自らの機種情報を管理サーバに対して送信することによって、管理サーバ１０および２０に機種情報を登録することも可能である。
【００３０】
尚、管理サーバ１０および管理サーバ２０は、１つの管理サーバとしてもよい。
【００３１】
中継機３０は、例えば携帯電話会社の基地局に設置される中継機であり、携帯電話５０と管理サーバ１０との間で通信を行うための通信の中継を行う。
【００３２】
中継機４０は、無線通信機７０と管理サーバ２０との間で通信を行うための通信の中継を行う。
【００３３】
携帯電話５０は、キー６０との間で互いの端末情報を交換して通信接続を確立し、キー６０との間で通信を行うための認証処理を行う。また、携帯電話５０は、中継機３０を介して管理サーバ１０との間で通信を行う。キー６０との間で認証処理を行うことができない状態である場合、携帯電話５０の有する機能の一部もしくは全部が制限される。尚、携帯電話５０は「通信端末」の一例である。
【００３４】
キー６０は、無線通信を行う通信部を有しており、少なくとも１つの通信方式に対応可能である。キー６０は、携帯電話５０との間で互いの端末情報を交換して通信接続を確立し、携帯電話５０との間で通信を行うための認証処理を行う。また、キー６０は、無線通信機７０との間で通信を行う。尚、通信部は「認証処理部」、「端末情報送信部」としての機能を有する。
【００３５】
また、無線通信機７０は、通信を行う通信部を有している。無線通信機７０は、キー６０との間で通信を行う。また、無線通信機７０は、中継機４０を介して管理サーバ２０との間で通信を行う。本発明を達成する上では、多数の無線通信機７０が近距離に配置されていることが望ましく、そうした状態は無線通信機７０を各家庭に設置されているガスメータなどに搭載することによって実現できる。尚、通信部は「送信部」、「受信部」としての機能を有する。
【００３６】
次に、通信システム１００において実施される携帯電話５０、キー６０、無線通信機７０、管理サーバ２０間の通信の一例について説明する。図４は携帯電話５０、キー６０、無線通信機７０、管理サーバ２０間の通信の一例を示したシーケンス図である。
【００３７】
携帯電話５０は、キー６０に対して携帯電話５０の携帯ＩＤ、携帯電話番号などの携帯端末情報を送信する（ステップＳ４０１）。キー６０は、携帯電話５０に対してキー６０のキーＩＤなどのキー端末情報を送信する（ステップＳ４０２）。
【００３８】
通信接続が確立されると、携帯電話５０は、管理サーバ１０に対して携帯端末情報およびキー端末情報を送信する（ステップＳ４０３）。管理サーバ１０は、携帯電話５０からの情報を携帯電話情報１０ａの一部として記録する。
【００３９】
携帯電話５０とキー６０との間の接続確立後、携帯電話５０は、キー６０に対して互いの間で携帯電話５０が備える機能を使用するか否かの判断を行うために用いる認証処理を行うための認証要求を行う（ステップＳ４０４）。キー６０は、携帯電話５０に対して認証要求に対する認証応答を行う（ステップＳ４０５）。携帯電話５０は、キー６０からの認証応答を受信することで、携帯電話５０の備える機能を制限されることなく使用することができる。認証処理は、定期的に行われる。
【００４０】
キー６０は携帯電話５０からの認証要求を所定期間内に受信しなかった場合（ステップＳ４０６）、キーＩＤ、携帯ＩＤ、携帯電話番号などの情報を無線通信機７０に対して送信するキー情報通知を行う（ステップＳ４０７）。また、この場合、携帯電話５０は自らの備える機能を制限する。キー情報通知を受信した無線通信機７０は、キー情報通知に対するキー情報通知応答をキー６０に対して行う（ステップＳ４０８）。キー情報通知は定期的に行われ、キー情報通知を受信した無線通信機がその都度キー情報通知応答を行うため、ステップＳ４０７、Ｓ４０８が繰り返される。これにより、携帯電話５０とキー６０との間の通信が途切れた後であっても、無線通信機７０がキー６０の位置を定期的に確認することができる。尚、携帯電話５０がキー６０からの認証応答を受信しない場合としては、携帯電話５０とキー６０との間の距離が所定距離以上である場合が考えられる。また、携帯電話５０はキー６０からの認証応答を受信しない場合、通常は認証要求を何度か（例えば、所定の再認証回数に達するまで）再送し、再認証を試みる。
【００４１】
キー情報通知応答を行った特定の無線通信機７０は、管理サーバ２０に対して定期的に無線通信機７０の無線通信機ＩＤや設置場所情報やキー６０に通知された情報（キーＩＤ、携帯ＩＤ、携帯電話番号など）を含む情報を送信する（ステップＳ４０９）。特定の無線通信機７０としては、キー６０に対してキー情報通知応答を行った全ての無線通信機７０やキー６０に対してキー情報通知応答を最初に行った無線通信機７０（後述する図６においては無線通信機７０ｂ）などが考えられる。尚、無線通信機７０が最初に管理サーバ２０へ情報を送信する際に、通信開始時間を含めてもよい。
【００４２】
管理サーバ２０は、無線通信機７０からの情報を受信すると、この設置場所情報を含む情報を機器情報２０ａの一部として記録する。これにより、例えば携帯電話５０を所持するユーザがＷｅｂなどを介して管理サーバ２０にアクセスすることで、キー６０の最新の位置情報を取得することが可能である。ユーザがキーの位置情報などの情報を管理サーバ２０へ要求する場合には、Ｗｅｂなどを介して携帯ＩＤ、キーＩＤなどが送信される。
【００４３】
このような図４の処理を行う通信システム１００によれば、通常時はキー６０と携帯電話５０との間の通信によって、例えばキー紛失時にはキー６０と無線通信機７０との間の通信によって、キー６０の位置を常時把握することが可能である。また、他人にキーを盗られた等キーが移動している場合、どのように移動しているかを位置情報（管理サーバ２０に記憶されている設置場所情報）を追跡することで把握することが可能である。また、特に、無線通信機７０が近距離の範囲に多数設置されていれば、ＧＰＳ機能を使用しなくても、キー６０の詳細な位置を把握することが可能である。
【００４４】
尚、携帯電話５０とキー６０との間で認証処理を行うことが不可能となった後であっても、再び認証処理が可能となった場合、携帯電話５０がキー６０に対してキー６０と無線通信機７０との間の通信を終了させる通信終了信号を送信するようにしてもよい。また、この際に、携帯電話５０がキー６０、無線通信機７０を介して管理サーバ２０へ通信終了時間を登録するようにしてもよい。
【００４５】
また、携帯電話５０とキー６０との間の無線通信や、キー６０と無線通信機７０との間の無線通信は、特定小電力無線方式を想定しているが、他の通信方式であってもよい。
【００４６】
また、図４では、携帯電話５０からキー６０へ認証要求などのデータ送信を行った後にキー６０から携帯電話５０へ認証応答などのデータ送信を行っているが、これに限られず、キー６０から携帯電話５０へデータ送信を行った後に携帯電話５０からキー６０へデータ送信を行うようにしてもよい。同様に、キー６０から無線通信機７０へのデータ送信を行った後に無線通信機７０からキー６０へデータ送信を行っているが、これに限られず、無線通信機７０からキー６０へデータ送信を行った後にキー６０から無線通信機へデータ送信を行うようにしてもよい。さらに、後述する図５においても同様である。
【００４７】
次に、通信システム１００において実施される携帯電話５０、キー６０、無線通信機７０、管理サーバ２０間の通信の別の一例について説明する。図５は携帯電話５０、キー６０、無線通信機７０、管理サーバ２０間の通信の別の一例を示したシーケンス図である。図４と同一の処理を行うステップについては、同一の符号を付す。
【００４８】
携帯電話５０とキー６０との間で通信接続が確立されると、携帯端末情報およびキー端末情報が管理サーバ１０に登録され、携帯電話５０とキー６０との間で認証処理が行われる（ステップＳ４０１〜４０５）。
【００４９】
認証処理が正常に行われている間においても、キー６０は、無線通信機７０に対してキー情報通知を行う（ステップＳ５０１）キー情報通知は、定期的に行われる。
【００５０】
キー情報通知を受信した無線通信機７０は、管理サーバ２０に対して定期的に無線通信機７０の無線通信機ＩＤや設置場所情報やキー６０に通知された情報（キーＩＤ、携帯ＩＤ、携帯電話番号など）を含む情報を送信する（ステップＳ５０２）。管理サーバ２０は、この設置場所情報を含む情報を機器情報２０ａの一部として記録する。これにより、キー６０が無線通信機７０を介して携帯ＩＤ、キーＩＤを含む情報を管理サーバ２０へ登録することが可能である。
【００５１】
携帯電話５０がキー６０からの認証処理を受信しなくなった場合（ステップＳ４０６）、ステップＳ４０７〜Ｓ４０９の処理と同一の処理が行われる。
【００５２】
このような図５の処理を行う通信システム１００によれば、例えばいつの時点まで携帯電話５０とキー６０をセットで持っていたのか、どの地点でキー６０を紛失したのか、キー紛失後にキー６０はどのように移動したかなどを総合的にユーザが把握することが可能である。また、例えば誘拐などの犯罪では携帯電話５０のみが捨てられることが多く見られるが、キー６０を身に着けるなどユーザの身近に配置することにより、後の追跡情報としてキー６０に関する情報を取得でき、大変有益である。
【００５３】
次に、図４および図５におけるキー情報通知およびキー情報通知応答について詳述する。図６はキー６０および無線通信機７０が行うキー情報通知およびキー情報通知応答の一例を示した図である。
【００５４】
キー６０は、複数の無線通信機７０に対してキー情報通知をブロードキャスト送信する（ステップＳ６０１）。キー情報通知を受信した無線通信機７０は、キー情報通知に含まれるキーＩＤを参照し、キー６０に対して、乱数を生成して生成した値に応じて決定したタイムスロットにてキー情報通知応答を行う。キー６０は、複数の無線通信機７０（例えば無線通信機７０ａ、７０ｂ、７０ｃ）から同一のタイムスロットにてキー情報通知応答を受信した場合、つまりパケット衝突が発生した場合（ステップＳ６０２）、これらの無線通信機７０に対して再度乱数を生成しタイムスロットを再選択してキー情報通知応答を行うように指示する。この指示は、複数の無線通信機７０から異なるタイムスロットにて応答を受信する（ステップＳ６０３）まで繰り返される。
【００５５】
次に、ネットワークを介して通信を行うことができるＰＣからキーの位置情報を取得する方法の一例について説明する。尚、ＰＣは「情報端末」の一例である。
【００５６】
ＰＣは、携帯ＩＤ、携帯電話番号、キーＩＤなどの情報を入力し、これらの情報を例えばＷｅｂサイトを介して管理サーバ２０へ送信する。管理サーバ２０はＰＣからの情報を受信し、機器情報２０ａを参照する。管理サーバ２０は、ＰＣからの情報に基づいて、携帯ＩＤ、キーＩＤなどを保有している無線通信機７０を特定し、特定された無線通信機７０の設置場所情報を含む情報をＰＣへ送信する。ＰＣは管理サーバ２０から送信された情報を表示部などを介して提示する。これにより、ＰＣなどの情報端末を使用してＷｅｂサイトから容易にキーの位置情報を取得することが可能となる。
【００５７】
このような通信システム１００によれば、例えばキーを紛失した場合であっても、キーを容易に追跡可能である。また、ＰＣなどを使用して例えばＷｅｂサイトからキー位置に関する情報を取得することができる。また、無線通信機７０として例えばガスメータなど既にインフラとして多数設置されている機器を利用することで、安価に効率的なシステムを構築することができる。
【産業上の利用可能性】
【００５８】
本発明は、キーを容易に追跡可能な無線通信機、キー、通信システム等に有用である。
【図面の簡単な説明】
【００５９】
【図１】本発明の実施形態における通信システムの構成の一例を示したブロック図
【図２】本発明の実施形態における携帯電話情報の一例を示した図
【図３】本発明の実施形態における機器情報の一例を示した図
【図４】本発明の実施形態における携帯電話、キー、無線通信機、管理サーバ間の通信の一例を示したシーケンス図
【図５】本発明の実施形態における携帯電話、キー、無線通信機、管理サーバ間の通信の別の一例を示したシーケンス図
【図６】本発明の実施形態におけるキーおよび無線通信機が行うキー情報通知およびキー情報通知応答の一例を示したシーケンス図
【符号の説明】
【００６０】
１００  通信システム
１０、２０  管理サーバ
３０、４０  中継機
５０  携帯電話
６０  キー
７０  無線通信機
【図１】
2008227688.tif 000003
【図２】
2008227688.tif 000004
【図３】
2008227688.tif 000005
【図４】
2008227688.tif 000006
【図５】
2008227688.tif 000007
【図６】
2008227688.tif 000008